(57)【特許請求の範囲】
【請求項１】
第１及び第２の筐体がスライド可能に重ね合う構造を備えた電子機器において、
前記第１及び第２の筐体の内、一方の筐体の他方の筐体に対向する面側に形成された２つの平行な直線状のガイド孔と、
前記第１及び第２の筐体の内、他方の筐体の前記一方の筐体に対向する面側の所定位置に配設される第１乃至第３のピン部材と、
前記２つのガイド孔の内、一方のガイド孔に連通して形成され、前記スライド移動の開始時に前記第２のピン部材が位置する箇所から他方のガイド孔に向けて円弧状に形成された第１の円弧ガイド孔と、
前記２つのガイド孔の内、他方のガイド孔の上端を中心点として円弧状に形成された第２の円弧ガイド孔と、
前記第２の円弧ガイド孔に連通すると共に、前記他方のガイド孔に沿って平行に形成された第３のガイド孔とを備え、
第１の筐体が前記スライド移動の開始位置から第２の筐体上をスライド回転する場合に、前記第２のピン部材が他方のガイド孔の上端に係止した状態で、前記第１のピン部材が前記第１の円弧ガイド孔に沿って移動すると共に、前記第３のピン部材が前記第２の円弧ガイド孔に沿って移動することを特徴とする電子機器。
【請求項２】
第１及び第２の筐体がスライド可能に重ね合う構造を備えた装置であって、
前記第１及び第２の筐体の内、一方の筐体の他方の筐体に対向する面側に形成された２つの平行な直線状のガイド孔と、
前記第１及び第２の筐体の内、他方の筐体の前記一方の筐体に対向する面側の所定位置に配設される第１乃至第３のピン部材と、
前記２つのガイド孔の内、一方のガイド孔に連通して形成され、前記スライド移動の開始時に前記第２のピン部材が位置する箇所から他方のガイド孔に向けて円弧状に形成された第１の円弧ガイド孔と、
前記２つのガイド孔の内、他方のガイド孔の上端を中心点として円弧状に形成された第２の円弧ガイド孔と、
前記第２の円弧ガイド孔に連通すると共に、前記他方のガイド孔に沿って平行に形成された第３のガイド孔とを備え、
第１の筐体が前記スライド移動の開始位置から第２の筐体上をスライド回転する場合に、前記第２のピン部材が他方のガイド孔の上端に係止した状態で、前記第１のピン部材が前記第１の円弧ガイド孔に沿って移動すると共に、前記第３のピン部材が前記第２の円弧ガイド孔に沿って移動することを特徴とするスライド装置。
【発明の詳細な説明】
【技術分野】
【０００１】
本発明は、第１の筐体と第２の筐体とがスライド可能に重ね合わされてなる電子機器及びこの電子機器に用いて好適なスライド装置に関する。
【背景技術】
【０００２】
近年、携帯電話機等の携帯型の電子機器では、電話機能や電子メール機能或いはインターネット機能といった通信機能以外にカメラ機能やテレビ放送受信機能等が組込まれて機能の多機能化が図られており、それに伴い、表示部が大型化している。
【０００３】
この種の電子機器にあっては、表示部を出来るだけ大きくするため、縦長の第１の筐体上面に表示部を設けると共に、第１筐体とほぼ同一形状の第２の筐体上面にはキーボードを設け、第１の筐体と第２の筐体とを上下（二層）に重ね合わせた状態で表示部が見られる様にすると共に、キーボードを使用するときには第１筐体を第２筐体に対してスライドさせる様にしたものが知られている。
【０００４】
また、ワンセグなどのテレビ放送を受信する場合には、表示部は横長で映像を表示させた方が大きく表示出来るので、第１筐体を第２筐体に対してスライドさせた後、更に第１筐体を９０度回転させる様にした電子機器が知られている（特許文献１参照）。
【０００５】
即ち、上記特許文献１に記載されている様に、従来のスライド及び回転可能な電子機器にあっては、第１筐体を第２筐体に対して上方にスライド移動させるために、一方の筐体、例えば第１筐体には平行な２本のスライド溝をスライド方向に沿って設け、他方の筐体である第２の筐体には上記のスライド溝を移動するピンを設けているものである。
【０００６】
また、２本の平行なスライド溝のうち、一方のスライド溝の終点から他方のスライド溝の始点に向けて円弧状のスライド溝を設け、一方のスライド溝の終点に達したピンが上記円弧状のスライド溝内を移動することにより第１の筐体が９０度回転される様に構成されている。
【先行技術文献】
【特許文献】
【０００７】
【特許文献１】特開２００８−１９３５２３号公報
【発明の概要】
【発明が解決しようとする課題】
【０００８】
しかしながら、上記の様なスライド及び回転が可能な電子機器にあっては、第１の筐体を上方にスライドさせなければ回転させることが出来ず、また、上方へのスライド及び回転の両方を行わせる為の機構が極めて複雑なものとなる欠点があった。
【０００９】
本発明は上述したような従来技術の問題点に鑑みてなされたものであり、部品点数が少なく極めて簡単な構造で、両筐体が閉じた状態から直ちに回転させたり、スライドさせたりすることが出来る電子機器及びスライド装置を提供するものである。
【課題を解決するための手段】
【００１０】
上記の目的を達成するために、請求項１に係わる発明は、第１及び第２の筐体がスライド可能に重ね合う構造を備えた電子機器において、前記第１及び第２の筐体の内、一方の筐体の他方の筐体に対向する面側に形成された２つの平行な直線状のガイド孔と、前記第１及び第２の筐体の内、他方の筐体の前記一方の筐体に対向する面側の所定位置に配設される第１乃至第３のピン部材と、前記２つのガイド孔の内、一方のガイド孔に連通して形成され、前記スライド移動の開始時に前記第２のピン部材が位置する箇所から他方のガイド孔に向けて円弧状に形成された第１の円弧ガイド孔と、前記２つのガイド孔の内、他方のガイド孔の上端を中心点として円弧状に形成された第２の円弧ガイド孔と、前記第２の円弧ガイド孔に連通すると共に、前記他方のガイド孔に沿って平行に形成された第３のガイド孔とを備え、第１の筐体が前記スライド移動の開始位置から第２の筐体上をスライド回転する場合に、前記第２のピン部材が他方のガイド孔の上端に係止した状態で、前記第１のピン部材が前記第１の円弧ガイド孔に沿って移動すると共に、前記第３のピン部材が前記第２の円弧ガイド孔に沿って移動することを特徴とする。
【００１１】
請求項２に記載の発明は、第１及び第２の筐体がスライド可能に重ね合う構造を備えた装置であって、前記第１及び第２の筐体の内、一方の筐体の他方の筐体に対向する面側に形成された２つの平行な直線状のガイド孔と、前記第１及び第２の筐体の内、他方の筐体の前記一方の筐体に対向する面側の所定位置に配設される第１乃至第３のピン部材と、前記２つのガイド孔の内、一方のガイド孔に連通して形成され、前記スライド移動の開始時に前記第２のピン部材が位置する箇所から他方のガイド孔に向けて円弧状に形成された第１の円弧ガイド孔と、前記２つのガイド孔の内、他方のガイド孔の上端を中心点として円弧状に形成された第２の円弧ガイド孔と、前記第２の円弧ガイド孔に連通すると共に、前記他方のガイド孔に沿って平行に形成された第３のガイド孔とを備え、第１の筐体が前記スライド移動の開始位置から第２の筐体上をスライド回転する場合に、前記第２のピン部材が他方のガイド孔の上端に係止した状態で、前記第１のピン部材が前記第１の円弧ガイド孔に沿って移動すると共に、前記第３のピン部材が前記第２の円弧ガイド孔に沿って移動することを特徴とする。
【発明の効果】
【００２０】
本発明によれば、部品点数が少なくて極めて簡単な構造でありながら、第１の筐体と第２の筐体とが重ね合わされた状態から第１の筐体を一方向にスライド移動させて第２筐体の上面を露呈させることが出来るばかりか、重ね合わされた状態から直ちに第１の筐体をスライド回転させることが出来るので、極めて簡単な操作で第１の筐体と第２の筐体とを所望のスタイルに設定出来る。
【図面の簡単な説明】
【００２１】
【図１】本発明を適用した携帯電話機の状態遷移を示すもので、（ａ）は第１の筐体と第２の筐体とが重ね合わされた状態を示す図、（ｂ）は第１の筐体が第２の筐体に対して上方にスライドされた状態を示す図、（ｃ）は第１の筐体が第２の筐体に対して時計回りにスライド回転された状態を示す図。
【図２】第１の筐体及び第２の筐体それぞれの重ね合わせ面を示す図で、（ａ）は第１の筐体の下面を示す図、（ｂ）は第２の筐体の上面を示す図。
【図３】（ａ）は第１の筐体に形成されたガイド孔を示す図、（ｂ）はガイド孔とガイドピントの位置を示す図。
【図４】第１の筐体と第２の筐体の連結部を示す断面図。
【図５】第１の筐体が第２の筐体に対して上方にスライド移動される動作状態の遷移を示す図。
【図６】図５に対応する連結部の状態を示す図。
【図７】第１の筐体が第２の筐体に対して時計回りにスライド回転される動作状態の遷移を示す図。
【図８】図７に対応する連結部の状態を示す図。
【図９】本発明の変形例を示す図。
【発明を実施するための形態】
【００２２】
以下、図面を用いて本発明の実施の形態を詳細に説明する。
【００２３】
図１は、本発明を適用した電子機器の一実施形態としての携帯電話機１０を示す。この携帯電話機１０は、縦長の表示部２１を上面（表面）に有する縦長直方体形状の第１の筐体２０と、この第１の筐体２０とほぼ同一形状で複数の操作キーが設けられた操作部３１を上面（表面）に有する縦長直方体形状の第２の筐体３０とを備えている。
【００２４】
そして、第１の筐体２０は第２の筐体３０に対して長手方向に直線的にスライド移動が可能で、また、スライド回転することも可能となっているものである。即ち、この携帯電話機１０は、図１（ａ）に示すように、第１の筐体２０と第２の筐体３０とが重ね合わされた閉成状態と、図１（ｂ）に示すように、第１の筐体２０が第２の筐体３０に対して長手方向に直線的にスライド移動されて操作部３１が露出した第１の開成状態と、図１（ｃ）に示すように、第１の筐体２０が第２の筐体３０に対して時計回りにスライド回転されて操作部３１が露出すると共に表示部２１が横長となる第２の開成状態との３状態を取り得るようになっている。
【００２５】
なお、第１の筐体２０の上面には、通話用のマイク２２及び通話用のレシーバ（スピーカ）２３が設けられている。
【００２６】
次に、第１の筐体２０を第２の筐体３０に対してスライド移動及びスライド回転させる為のスライド機構について説明する。
【００２７】
図２は、第１の筐体２０及び第２の筐体３０それぞれの重ね合わせ面を示す図で、図２（ａ）は第１の筐体２０における第２の筐体３０との重ね合わせ面、すなわち第１の筐体２０の下面（裏面）のケース部材２０ｂを下面側から見た図、図２（ｂ）は第２の筐体３０における第１の筐体２０との重ね合わせ面、すなわち第２の筐体３０の上面（表面）のケース部材３０ａを上面側から見た図である。
【００２８】
第１の筐体２０のケース部材２０ｂには、２つのガイド孔、即ち第１のガイド孔２４及び第２のガイド孔２５が設けられており、第２の筐体のケース部材３０ａには、前記２つのガイド孔２４及び２５にそれぞれ係合して夫々の孔内を移動する２つのガイドピン３２及び３３が設けられている。
【００２９】
上記第１のガイド孔２４は、第１の筐体の長手方向沿って直線状に延びて形成されており、その長さは、第１の筐体２０の長手方向へのスライド移動量となる長さとなっている。
【００３０】
上記第２のガイド孔２５は、上記第１のガイド孔２４と平行に延びていて上記第１のガイド孔２４と略同じ長さの直線部２５ａと、この直線部２５ａに連通し直線部２５ａ第１のガイド孔２４に向かって円弧状に延びる円弧部（円弧状ガイド孔）２５ｂとから構成されている。この円弧部２５ｂは、第１ガイド孔２４の上端部を中心点とする円弧形状を有している。
【００３１】
尚、第２のガイド孔２５は、その中心部が第１の筐体２０の長手方向のほぼ中心となる位置に形成され、第１のガイド孔２４は、第２のガイド孔２５よりも若干の所定量だけ下側にずれて形成されている。
【００３２】
また、第２の筐体のケース部材３０ａに設けられているガイドピン３２及び３３も、上記第１のガイド孔２４と第２のガイド孔２５とのずれの長さと同じ量だけずれているもので、ガイドピン３２はガイドピン３３に対して所定量下側に配置されている。
図３（ａ）は、第１の筐体２０を表示部２１側（表側）から見た場合の、ガイド孔２４、２５の位置を説明する図である。尚、表示部２１側（表側）から見た場合、ガイド孔２４、２５は見えないので、図面上は波線などで作図するべきであるが、説明の為に実線で作図してある。
【００３３】
図３（ｂ）は、図３（ａ）で示した第１の筐体２０を第２の筐体３０と連結させた状態で且つ両筐体２０及び３０が閉じた位置（第１の筐体２０が第２の筐体３０上に完全に重なる位置）にある場合の第１の筐体２０のガイド孔２４及び２５と第２の筐体３０のガイドピン３２及び３３との係合位置を説明する図である。
【００３４】
この図から明らかな様に、第１の筐体２０が第２の筐体３０に対して閉じた位置（第２の筐体３０上に完全に重なる位置）においては、第１のガイドピン３２が上記第１のガイド孔２４の上端に位置するような位置関係に形成されている。また、第２のガイドピン３３は上記第２のガイド孔２５の上端に位置するような位置関係に形成されている。
【００３５】
図４は、上記第１の筐体２０と第２の筐体３０との連結構造を示しており、図３（ｂ）のＡ−Ａ断面図である。
【００３６】
図において、第２の筐体３０のケース部材３０ａには開口３０ｂが形成されており、この開口３０ｂからは金属製のガイドピン３３が突出配置されている。ガイドピン３３の端部には幅広の金属製のフランジ３３ａが固定されており、このフランジ部３３ａがケース部材３０ａ内部の内面に固着されている。
【００３７】
上記開口３０ｂから突出されたガイドピン３３は第１の筐体２０のケース部材２０ｂに形成されたガイド孔２５に挿通されてケース部材２０ｂ内部迄延出され、その先端がケース部材２０ｂ内部に設けられた受け金具２６に取り付けられている。
【００３８】
受け金具２６は、円状フランジ部２６ａと、この円状フランジ部２６ａ下面に形成された円状受け部２６ｂとから構成されており、円状受け部２６ｂはその中央部下面の凹部で上記ガイドピン３３の先端を固定している。また、円状受け部２６ｂの幅（直径）は、図示の如くガイド孔２５の孔幅よりも大きく形成されている。
【００３９】
また、ケース部材２０ｂ内部には、ガイド孔２５に沿ってガイド孔２５を挟む様にして一対のガイド板部材２７、２７が設けられており、上記受け金具２６の円状フランジ部２６ａの側面は、上記ガイド板部材２７、２７に点接触しながらガイド板部材２７、２７に沿って移動できるように構成されている。
【００４０】
尚、上記図４では、ガイド孔２５及びガイドピン３３による連結部について説明したが、ガイド孔２４及びガイドピン３２による連結部も同様の構成となっている。
【００４１】
次に、上記のように構成された携帯電話機１０の動作について説明する。
【００４２】
先ず、図５及び図６を用いて、第１の筐体２０が第２の筐体３０に対して長手方向（図示上側方向）に直線的にスライド移動する場合の動作について説明する。
【００４３】
図５（ａ）乃至（ｃ）は、第１の筐体２０が第２の筐体３０に対して上方にスライド移動される際の筐体の遷移状態を示す外観（正面）図であり、図６（ａ）乃至（ｃ）は、図５（ａ）乃至（ｃ）に対応する連結機構であるガイド孔２４、２５とガイドピン３２、３３の遷移状態を示す図である。
【００４４】
図５（ａ）に示すように、第１の筐体２０と第２の筐体３０とが重ね合わされた閉成状態においては、第２の筐体３０は全て第１の筐体２０の下方にあって正面図では見られない。この時、ガイド孔２４、２５とガイドピン３２、３３とは図６（ａ）の状態にある。
【００４５】
即ち、ガイドピン３２はガイド孔２４の上端に、ガイドピン３３はガイド孔２５の上端に位置しているものである。
【００４６】
図５（ａ）の状態において、第１の筐体２０が第２の筐体３０に対して長手方向（上側方向）に力が加えられた場合、例えば、図５（ａ）に示す状態にある携帯電話機１０を右手で持った状態において、第１の筐体２０を右手の親指で上方（矢印Ｙ方向）に押し上げると、第１の筐体２０が上方に移動する。
【００４７】
この際に、第１の筐体２０のケース部材２０ｂに形成されたガイド孔２４、２５もその内部をガイドピン３２、３３が相対的に移動する様に上方に移動する。これによって、図５（ｂ）の位置まで移動したときには、ガイド孔２４、２５とガイドピン３２、３３との位置関係は図６（ｂ）の様になる。
【００４８】
このような上述した図５（ａ）の状態から図５（ｂ）の状態に移動した時にあっては、第１の筐体２０を押す力が、真上方向より若干左右にずれることにより、ガイドピン３３を支点として第１の筐体２０が左右方向に回転する力が働く場合と、ガイドピン３２を支点として第１の筐体２０が左右方向に回転する力が働く場合とが生じる。
【００４９】
しかしながら、ガイドピン３３を支点として第１の筐体２０が左右方向に回転する力が働いた場合にあっては、ガイドピン３２が位置しているガイド孔２４は、上下方向に孔が形成されているため、ガイドピン３３を支点として第１の筐体２０が左右方向に回転する力を打ち消すこととなり、第１の筐体２０が左右方向に回転することは防止される。
【００５０】
また、ガイドピン３２を支点として第１の筐体２０が左右方向に回転する力が働いたとしても、ガイドピン２２に対してガイドピン３３は斜め上方に位置しているため、ガイドピン３３はガイド孔２５の円弧部２５ｂが形成されている側とは反対側の辺に押しつけられることとなり、第１の筐体２０が左右方向に回転することは防止される。
【００５１】
従って、ガイドピン３３は円弧部２５ｂ方向に向かうことがなく、直線部２５ａ内部に向けて相対的に移動することとなり、その後は、図６（ｃ）に示す様に、ガイド孔２４及び２５の下端に夫々ガイドピン３２及び３３が位置する状態になるまで、即ち、図５（ｃ）の状態になる迄第１の筐体２０は上方に移動する。
【００５２】
続いて、図７及び図８を用いて、第１の筐体２０が第２の筐体３０に対して時計回りにスライド回転される場合の動作について説明する。
【００５３】
図７（ａ）乃至（ｃ）は、第１の筐体２０が第２の筐体３０に対して時計回りにスライド回転される際の遷移状態を示す図であり、図８（ａ）乃至（ｃ）は、図７（ａ）乃至（ｃ）に対応する、連結部であるガイド孔２４、２５とガイドピン３２、３３の遷移状態を示す図である。
【００５４】
図７（ａ）に示すように、第１の筐体２０と第２の筐体３０とが重ね合わされた閉成状態においては、第２の筐体３０は全て第１の筐体２０の下方にあって正面図では見られない。この時、ガイド孔２４、２５とガイドピン３２、３３とは図８（ａ）の状態にある。
【００５５】
即ち、ガイドピン３２はガイド孔２４の上端に、ガイドピン３３はガイド孔２５の上端に位置しているものである。
【００５６】
図７（ａ）の状態から、第１の筐体２０の下端が第２の筐体３０に対して時計回りに力が加えられた場合、例えば、図７（ａ）に示す状態にある携帯電話機１０を右手で持った状態において、第１の筐体２０の下端を右手の親指で時計回り方向（矢印Ｚ方向）に押し上げると、第１の筐体２０が時計回り方向にスライド回転する。
【００５７】
即ち、第１の筐体２０の下端に時計回り方向の力を加えると、図８（ａ）の状態において、ガイドピン３３を回転中心とする回転力と、ガイドピン３２を回転中心とする回転力とが働き、ガイドピン３３を回転中心とする時計回り方向の回転力は、ガイドピンがガイド孔２４の上端に位置しているために打ち消される。
【００５８】
これに対して、ガイドピン３２を回転中心とする回転力は、それを遮る構造がないため第１の筐体２０はガイドピン３２を回転中心として時計回りに回転する。即ち、ガイド孔２５の円弧部２５ｂは、ガイド孔２４の上端を中心として円弧状に形成されているため、ガイド孔２５の先端にあったガイドピン３３は、ガイド孔２４の上端に位置しているガイドピン３２を中心回転軸として円弧部２５ｂ内部を相対的に移動する。
【００５９】
これにより、１の筐体２０は、図８（ｃ）に示す様に、ガイドピン３３が円弧部２５ｂの先端に達するまで回転し、その結果、第１の筐体２０と第２の筐体３０とは、図７（ｃ）に示す様に第２の筐体３０に対して第１の筐体２０が９０度スライド回転した状態で停止するものである。
【００６０】
このように、上記の実施の形態に依れば、第１の筐体２０及び第２の３０が閉じた状態（第１の筐体２０が第２の筐体３０上に重なった状態）から、一方向に直線的にスライド移動させることが可能であるばかりか、上記の直線的なスライド移動の開始位置において、そのまま第１の筐体２０を第２の筐体３０に対して９０度回転させることもできる。
【００６１】
従って、電話の通話機能やメール機能等の使用時に、電話番号やメールアドレスを入力させたり或いはメール文を作成したりする場合には、第１の筐体２０を直線的に上方にスライド移動させて操作部３１を露呈させ、数置、文字などを直ちに入力することが出来る。
【００６２】
また、ワンセグテレビ放送を受信してその映像を表示させる際には、第１の筐体２０及び第２の３０が閉じた状態において、第１の筐体２０をそのまま回転させることにより縦長の表示部２１を横長状態にすることが出来、直ちに映像をワイド画面で視聴させることが可能である。
【００６３】
図９（ａ）乃至（ｃ）は、本発明の変形例を示す図である。
【００６４】
図において、図１乃至図８の実施の形態と同一構成部には同一番号を付してその詳細な説明は省略する。
【００６５】
然して、図９（ａ）乃至（ｃ）の変形例は、図１乃至図８の実施の形態の構成に加えて、第１の筐体２０の下面にガイド孔２４と平行に第３のガイド孔としてガイド孔２８を形成し、第２の筐体３０の上面でガイドピン３２の水平方向に上記ガイド孔２８に挿通する第３のガイドピンとしてガイドピン３４を設けたものである。
【００６６】
ガイド孔２８は、その孔幅がガイド孔２４よりも狭く、また上部にはガイド孔２４の上端を中心点とする円弧部２８ａが形成されており、円弧部２８ａの先端はガイド孔２４の上方（垂直方向）となるように形成されている。
【００６７】
また、ガイドピン３４は円柱形状に形成され、その円柱の幅がガイド孔２４の孔幅とほぼ同一に形成されており、ガイド孔２４の孔幅方向には動かないが、ガイド孔に沿っては移動する様に構成されている。
【００６８】
このように構成においては、図７（ａ）に示すような第１の筐体２０と第２の筐体３０とが重ね合わされた閉成状態においては、ガイド孔２４、２５、２８とガイドピン３２、３３、３４とは図９（ａ）の状態にあり、第１の筐体２０と第２の筐体３０とが相対的に左右方向に移動或いは回動することを防止する。
【００６９】
即ち、ガイド孔２４、２５とガイドピン３２、３３とで、ある程度左右方向への移動或いは回動を防止し得るものであるが、ガイド孔２４、２５内部をガイドピン３２、３３がスムーズに移動させるため、ガイド孔の孔幅に対してピン径をある程度小さく設計すると、左右方向或いは回動方向にガタが生じるものである。
【００７０】
そこで、新たにガイド孔２８とガイドピン３４とを設けて、３箇所で連結させることによりガタを防止するものである。
【００７１】
図７（ａ）の状態から、第１の筐体２０の下端が第２の筐体３０に対して時計回りに力が加えられた場合、図７（ｂ）の如く第１の筐体２０が時計回り方向にスライド回転する。
【００７２】
この回転状態においては、ガイド孔２６８上部の円弧部２８ｂが、ガイド孔２４の上端を中心点としてガイド孔２４の上端の横方向（水平方向）から上方向（垂直方向）に形成されているため、ガイドピン３４は、図９（ｂ）に示す様にガイド孔２４の上端のガイドピン３２を中心として円弧部２８ｂ内部を移動する。
【００７３】
この時、ガイドピン３４のピン径は、ガイド孔２４の孔幅と同一で孔幅方向に動くことがないので、第１の筐体２０は第２の筐体３０に対してガイドピン３２を中心点としてがたつくことなくスムーズに回転し得る。そして、図９（ｃ）の如くガイドピン３４が円弧部２８ａの先端に到達すると回転は停止され、図７（ｃ）の状態で安定して保たれる。
【００７４】
このように、ガイド孔２８及びガイドピン３４を設けることにより、第１の筐体２０と第２の筐体３０とがどのような状態であって、両筐体のがたつきを防止することが出来る。
【００７５】
尚、上記の実施の形態では、第１の筐体２０にガイド孔２４、２５を設け、第２の筐体３０にガイドピン３２、３３を設けたが、第１の筐体２０にガイド孔ガイドピン３２、３３を設け、第２の筐体３０にガイド孔２４、２５を設けてもよい。
【００７６】
また、一方の筐体にガイド孔とガイドピンを設け、これに対応させて他方の筐体にガイドピンとガイド孔とを設け、夫々のガイドピンをガイド孔に挿通させる構造にしてもよい。
【００７７】
更に、上記の実施の形態では、本発明を携帯電話機に適用した例について説明したが、本発明は、ノートパソコン、ウェアラブルパソコン、電子辞書、ＰＤＡ、カメラ、電子ケームなど、複数の筐体からなり直線的なスライド動作及びスライド回転動作を行わせる電子機器の全てに適用することができる。
【符号の説明】
【００７８】
１０    携帯電話機
２０    第１の筐体
２１    表示部
２２    マイク
２３    レシーバ
２４    ガイド孔
２５    ガイド孔
２５ｂ  円弧部
２６    受け金具
２７    ガイド板部材
２８    第３のガイド孔
３０    第２の筐体
３１    操作部
３２    ガイドピン
３３    ガイドピン
３４    第３のガイドピン
【図１】
0005424334.tif 000002
【図２】
0005424334.tif 000003
【図３】
0005424334.tif 000004
【図４】
0005424334.tif 000005
【図５】
0005424334.tif 000006
【図６】
0005424334.tif 000007
【図７】
0005424334.tif 000008
【図８】
0005424334.tif 000009
【図９】
0005424334.tif 000010